(57)【特許請求の範囲】
【請求項１】
複数枚のパネルを直交乃至平行に接続するためのパネル接続部材であって、パネルの端部を挿入して保持するためのパネル保持体と、複数個のパネル保持体を連結するための連結体とを備え、パネル保持体は金属板の折り曲げ加工により一対の挟持片を備えた断面略コ字状に形成され、連結体は金属板の折り曲げ加工により係止部を備えて形成され、折返し屈曲して形成された係止部を挟持片の先端に係止することにより複数個のパネル保持体を連結体で連結して成ることを特徴とするパネル接続部材。
【請求項２】
二つのパネル保持体の開口方向を直交させたコーナー部材として成ることを特徴とする請求項１に記載のパネル接続部材。
【発明の詳細な説明】
【技術分野】
【０００１】
本発明は、間仕切りパネルなどの壁パネル同士を接続したり、天井パネルや床パネルと壁パネルとを接続したりするためのパネル接続部材に関するものである。
【背景技術】
【０００２】
従来より、複数のパネルを接続するにあたっては、図７に示すような工法が提案されている。すなわち、支柱３０の両側面に外側面が開口する略Ｕ字溝状の連結溝３１を連設し、連結溝３１内に緩衝材３２を嵌入すると共に連結溝３１内にパネル３３の側端部を嵌入するようにする。このようにして支柱３０を介して二枚のパネル３３、３３を接続することができるのである（特許文献１参照）。
【０００３】
上記の工法では、厚みの異なる複数種のパネル３３の全てに対応するためには、各パネル３３の厚みに応じた連結溝３１を有する複数種の支柱３０が必要であるが、支柱３０はアルミニウムやプラスチックの押出成形品で形成されているので、各種類の支柱３０に対応した金型が必要であり、コスト高になるという問題があった。
【０００４】
また、上記支柱３０をコーナー部材として用いる場合では、支柱３０の隣り合う二面に連結溝３１を形成することになるが、コーナー部材として用いる支柱３０を製造するための金型がさらに必要になってコスト高になるという問題があった。
【０００５】
そこで、図８に示すように、二枚のパネル３３、３３の側端部同士を接合してコーナーを形成する場合、その入隅と出隅にはそれぞれ入隅部材３４と出隅部材３５とを取り付けることが行われている。すなわち、二枚のパネル３３、３３のうちの一方のパネル３３の表面側端部に他方のパネル３３の側端面を対向させることによって、二枚のパネル３３、３３を配置し、次に、断面略Ｌ字状の入隅部材３４を上記二枚のパネル３３、３３の接続部分の入隅に配設し、この後、リベットやバルブタイトなどの固定具１０を両方のパネル３３、３３の側端部に打ち込むことによって、パネル３３、３３と入隅部材３４とを固定するようにしている。次に、ウレタンブロックなどの断熱材１５をパネル３３、３３の側端面に設ける。この断熱材１５はパネル３３、３３の接続部分の隙間の断熱を補うために設けられる。次に、断面略Ｌ字状の出隅部材３５を上記二枚のパネル３３、３３の接続部分の出隅に配設し、この後、リベットやバルブタイトなどの固定具１０をパネル３３の側端部に打ち込むことによって、パネル３３と出隅部材３５とを固定するようにしている。尚、この例ではパネル３３として、二枚の金属外皮３６、３６の間に断熱材３７を充填して形成されるものである。
【０００６】
しかし、図８に示す例では、入隅部材３４と出隅部材３５を多数の固定具１０で固定するため、施工性が非常に悪く、しかも、固定具１０が露出するため、見栄えも非常に悪いという問題があった。
【特許文献１】特開平１１−１９００８５号公報
【発明の開示】
【発明が解決しようとする課題】
【０００７】
本発明は上記の点に鑑みてなされたものであり、厚みの異なる複数種のパネルに対応させたりコーナー部材として用いたりする場合でも安価に対応することができ、しかも施工性や見栄えの良いパネル接続部材を提供することを目的とするものである。
【課題を解決するための手段】
【０００８】
本発明は、複数枚のパネル１、１…を直交乃至平行に接続するためのパネル接続部材Ａであって、パネル１の端部を挿入して保持するためのパネル保持体２と、複数個のパネル保持体２、２…を連結するための連結体３とを備え、パネル保持体２は金属板の折り曲げ加工により一対の挟持片６、６を備えた断面略コ字状に形成され、連結体３は金属板の折り曲げ加工により係止部９を備えて形成され、折返し屈曲して形成された係止部９を挟持片６の先端に係止することにより複数個のパネル保持体２、２…を連結体３で連結して成ることを特徴とするものである。
【００１０】
また、本発明にあっては、二つのパネル保持体２、２の開口方向を直交させたコーナー部材とすることができる。
【発明の効果】
【００１１】
厚みが異なる複数種のパネル保持体２、２…の組合せや個数を変えることにより、各種のパネル１に対応したパネル接続部材Ａを容易に形成することができ、厚みの異なる複数種のパネル１に対応させたりコーナー部材として用いたりする場合でも安価に対応することができるものである。
【００１２】
また、パネル保持体２及び連結体３を金属板の折り曲げ加工により形成することにより、複数種のパネル接続部材Ａを製造する場合でもそれぞれに対応した金型を製造する必要が無く、安価に製造することができるものである。
【００１３】
また、二つのパネル保持体２、２の開口方向を直交させたコーナー部材とすることによって、パネル接続部材Ａで出隅と入隅とを構成することができ、別途、出隅用や入隅用の部材を必要とせず、安価にパネル１、１を接続することができるものである。しかも、断面略コ字状のパネル保持体２の内側において、少ない本数の固定具１０を打ち込んでパネル接続部材Ａとパネル１とを固定することができ、施工性や見栄えを良くすることができるものである。
【発明を実施するための最良の形態】
【００１４】
以下、本発明を実施するための最良の形態を説明する。
【００１５】
図１（ａ）（ｂ）に本発明のパネル接続部材Ａとしてコーナー部材の一例を示す。このパネル接続部材Ａは二つのパネル保持体２、２と二つの連結体３、３とで形成されている。
【００１６】
パネル保持体２は、対向する一対の挟持片６、６と、挟持片６、６の一端間に架設される結合片７とを有して断面略コ字状に形成されている。また、二つのパネル保持体２、２のうち、一方のパネル保持体２ａの挟持片６は他方のパネル保持体２ｂの挟持片６よりも長く形成されている。
【００１７】
連結体３は一対の連結片８、８を有して断面略Ｌ字状に形成されている。また、二つの連結体３、３のうち、連結片８の長さが長い方の連結体３は出隅側連結体３ａとして形成されており、連結片８の長さが短い方の連結体３は入隅側連結体３ｂとして形成されている。
【００１８】
そして、パネル接続部材Ａを製造するにあたっては、次のようにして行う。まず、一方（挟持片６が長い方）のパネル保持体２ａの一方の挟持片６の外面に、他方（挟持片６が短い方）のパネル保持体２ｂの結合片７の外面を当接させるようにして、二つのパネル保持体２ａ、２ｂを配置する。これにより、二つのパネル保持体２ａ、２ｂの開口方向を直交させている。つまり、パネル保持体２ａ、２ｂの開口向きを互いに９０°異ならせて配置している。
【００１９】
次に、一方のパネル保持体２ａの挟持片６の外面とパネル保持体２ｂの挟持片６の外面とに沿わせて入隅側連結体３ｂの連結片８、８を配置し、入隅側連結体３ｂの両端部を裏面側に向って折り返し屈曲して係止部９、９を形成することにより、係止部９、９をパネル保持体２ａ、２ｂの一方の挟持片６の先端に係止する。また、一方のパネル保持体２ａの挟持片６の外面と、一方のパネル保持体２ａの結合片７の外面及び他方のパネル保持体２ｂの挟持片６の外面とに沿わせて出隅側連結体３ａの連結片８、８を配置し、出隅側連結体３ａの両端部を裏面側に向って折り返し屈曲して係止部９、９を形成することにより、係止部９、９をパネル保持体２ａ、２ｂの他方の挟持片６の先端に係止する。
【００２０】
このようにして二つのパネル保持体２ａ、２ｂを二つの連結体３、３（出隅側連結体３ａと入隅側連結体３ｂ）で連結することによって、本発明のパネル接続部材Ａを入出隅一体型のコーナー部材として形成することができる。
【００２１】
上記のパネル接続部材Ａは、一方のパネル保持体２ａの開口から挟持片６、６の間にパネル１の側端部を挿入すると共に、他方のパネル保持体２ｂの開口から挟持片６、６の間に他のパネル１の側端部を挿入することによって、二枚のパネル１、１を略直角に（直交させて）接続することができる。パネル接続部材Ａは各パネル１、１の側端部の全長に沿って取り付けられる。また、パネル接続部材Ａに対してパネル１を固定する場合は、図２に示すように、一方のパネル保持体２ａの結合片７を貫通するようにドリルビスなどの固定具１０を螺入し、他方のパネル保持体２ｂに挿入したパネル１の側端部に螺入することができる。
【００２２】
そして、本発明のパネル接続部材Ａでは、パネル保持体２の厚みや挟持片６の長さが異なるなど、形状の異なる複数種のパネル保持体２を形成し、これらの組合せや個数を変えることによって、所望の形状のパネル接続部材Ａを容易に製造することができ、厚みの異なる複数種のパネル１に対応させたりコーナー部材として用いたりする場合でも安価に対応することができるものである。
【００２３】
また、上記のパネル接続部材Ａでは、出隅側連結体３ａと入隅側連結体３ｂにより略直角に接続されたパネル１、１の接続部分の出隅と入隅の両方を一度の作業で施工することができ、施工性に優れるものである。しかも、別途、出隅用や入隅用の部材を必要とせず、安価にパネル１、１を接続することができると共に出隅用の部材と入隅用の部材とを別々に形成する場合に比べて強度を大きくすることができるものである。
【００２４】
また、本発明において、パネル保持体２及び連結体３は金属板を折り曲げ加工して形成することができるものであり、これにより、アルミニウムやプラスチックの押出成形品でパネル保持体２及び連結体３を形成する場合のように成形用の金型を必要とせず、各種の大きさや形状のパネル保持体２及び連結体３を容易に形成することができ、しかも、それらの組合せや個数も必要に応じて容易に変更することができる。従って、各種のパネル１に対応したパネル接続部材Ａを容易に形成することができ、厚みの異なる複数種のパネルに対応させたりコーナー部材として用いたりする場合でも安価に対応することができるものである。本発明では金属板として折り曲げ加工できるものであれば特に制限無く用いることができ、例えば、ステンレス鋼板、亜鉛めっき鋼板、塗装鋼板、カルバリウム鋼板（登録商標）などを用いることができる。
【００２５】
尚、本発明において、パネル１、１の接続部分（例えば、パネル１の側端部と結合片７との間など）に隙間が形成される場合は、断熱を補うためにウレタンブロックなどの断熱材をその隙間に充填することができる。
【００２６】
図３に本発明の他の実施の形態を示す。このパネル接続部材Ａでは二つのパネル保持体２、２と二つの連結体３、３を用いて形成されている。パネル保持体２は上記と同様にして形成されている。連結体３、３は平板状に形成されている。そして、パネル保持体２、２をその結合片７、７の外面同士が当接するようにして配置し、パネル保持体２、２の両側の挟持片６、６同士をそれぞれ連結体３、３で連結して形成されている。このパネル接続部材Ａでは各パネル保持体２、２の開口が互いに反対方向に向いているために、パネル１、１を横方向に直線上に並べて接続することができる。
【００２７】
図４に本発明の他の実施の形態を示す。このパネル接続部材Ａでは三つのパネル保持体２と二つの断面略Ｌ字状の連結体３、３と一つの平板状の連結体３とを用いて形成されている。また、図５に示す実施の形態ではこのパネル接続部材Ａでは四つのパネル保持体２と四つの断面略Ｌ字状の連結体３とを用いて形成されている。パネル保持体２と連結体３との連結の仕方は上記と同様である。
【００２８】
このように本発明のパネル接続部材Ａは、複数枚のパネルを直交乃至平行（直線上）に接続するものであれば、どのような形状であっても良い。ここで、「直交乃至平行」とは、パネル接続部材Ａで接続されたパネル１、１の間の角度が任意であることを意味する。従って、図６に示すように、二つの隣接するパネル保持体２、２の間の角度θは任意に設定することができる。
【００２９】
尚、本発明のパネル接続部材Ａは壁パネル同士の接続だけでなく、壁パネルと天井パネルとの接続や壁パネルと床パネルとの接続にも用いることができる。また、パネル１としては平板状のものであれば何でも用いることができ、例えば、石膏ボードや合板であってもよいし、二枚の金属外被１１、１１の間に断熱材１２を充填して形成したサンドイッチパネルを用いることができる。この場合、金属外被１１としてはパネル接続部材Ａを製造する金属板と同様のものを使用することができ、また、断熱材１２としては、例えば、ロックウールやグラスウールなどの無機繊維板あるいはフェノールフォームやウレタンフォームなどの樹脂発泡体などを用いることができる。また、出隅側連結体３ａの見付けは６０ｍｍ、入隅側連結体３ｂの見付けは２０ｍｍなどとすることができるが、これに限定されるものではなく、必要に応じて、変更可能である。
【図面の簡単な説明】
【００３０】
【図１】本発明の実施の形態の一例を示し、（ａ）は断面図、（ｂ）は一部の斜視図である。
【図２】同上の施工状態の一例を示す断面図である。
【図３】同上の他の実施の形態の一例を示す断面図である。
【図４】同上の他の実施の形態の一例を示す断面図である。
【図５】同上の他の実施の形態の一例を示す断面図である。
【図６】同上の他の実施の形態の一例を示す断面図である。
【図７】従来例の一例を示す断面図である。
【図８】従来例の他例を示す断面図である。
【符号の説明】
【００３１】
１  パネル
２  パネル保持体
３  連結体
６  挟持片
９  係止部
Ａ  パネル接続部材
【図１】
0004653601.tif 000002
【図２】
0004653601.tif 000003
【図３】
0004653601.tif 000004
【図４】
0004653601.tif 000005
【図５】
0004653601.tif 000006
【図６】
0004653601.tif 000007
【図７】
0004653601.tif 000008
【図８】
0004653601.tif 000009